(57)【要約】      （修正有）【課題】耳に対する負荷が軽減され、触感がより柔らかく、耳掛け部がコンパクトに収まるマスクと、このマスクを備えるマスクキットを提供する。【解決手段】マスク１２は、マスク本体３１と、一対の耳掛け部３２と、複数の取付溶着部４１とを備える。マスク本体は、複数の不織布が重ねられ、矩形である。一対の耳掛け部のそれぞれは、不織布または織物でテープ状に形成され、長手方向に弾性変形し、長手方向における各端部がマスク本体の内向き面の側端部に固定されている。複数の取付溶着部は、耳掛け部とマスク本体とを固定し、マスク本体の縦方向と横方向とで正方配列している。耳掛け部は、長手方向の一端から中央に向かって谷折部３２Ａと山折部３２Ｂとが順に形成された折り畳み構造を有する。【選択図】図２
0003231146.tif 000002
【実用新案登録請求の範囲】
【請求項１】
複数の不織布が重ねられた矩形のマスク本体と、
不織布または織物でテープ状に形成され、長手方向に弾性変形し、長手方向における各端部が前記マスク本体の装着者側表面の側端部に固定された一対の耳掛け部と、
前記耳掛け部と前記マスク本体とを固定し、前記マスク本体の縦方向と横方向とで正方配列した複数の第１溶着部と
を備え、
前記耳掛け部は、長手方向の一端から中央に向かって谷折部と山折部とが順に形成された折り畳み構造を有するマスク。
【請求項２】
前記耳掛け部の前記谷折部及び山折部により重なった重なり領域は、長手方向と幅方向との両方でずれた位置に設けられた２つの第２溶着部を有する請求項１に記載のマスク。
【請求項３】
請求項１または２に記載のマスクと、
使用したマスクを収容するマスクケースと
を備え、
前記マスクケースは、
プラスチックシートで矩形状に形成されており、
一方の長辺を成す端縁の中央に他方の長辺を成す端縁に向かって延びた第１切欠部と、
一方のシート面に、前記他方の長辺を成す端縁から前記第１切欠部に延びて、一定の第１間隔で形成され、前記一方のシート面において山折り可能とする一対の第１溝と、
前記一方のシート面に、前記第１溝と直交する方向で、短辺を成す端縁から前記第１切欠部に延びており、前記第１間隔の半分以下の第２間隔で形成され、前記一方のシート面において山折り可能とする一対の第２溝と
を有するマスクキット。
【請求項４】
前記マスクケースは、短辺を成す前記端縁のそれぞれに、前記第１溝と第２溝とのそれぞれにおいて９０°の角度で山折りされた場合に重なる円弧状の第２切欠部を有する請求項３に記載のマスクキット。
【考案の詳細な説明】
【技術分野】
【０００１】
本考案は、マスク及びマスクキットに関する。
【背景技術】
【０００２】
不織布で形成されたマスクは、使い捨てのマスクとして便利であり、また、ウイルスや菌などによる感染症の予防対策として有効であることから、広く用いられている。例えば特許文献１には、不織布製の矩形のマスク本体を前後方向に関して熱溶着する熱溶着部が備えられ、熱溶着部が点線とされているマスクが記載されている。このマスクは、紐状の耳掛け部を有し、熱溶着部には通気口が前後方向に貫通形成されている。
【０００３】
また、例えば特許文献２には、上下方向の寸法を２等分する横中心線を有し、前記幅方向の中央に位置するシールラインを介して折り畳み可能であり、マスク本体の上端部が幅方向の中央において上方へ凸曲した形状を有するマスクが記載されている。このマスクは、耳掛け部が、織りゴムで形成され、耳掛け部の両端が、マスク本体の側部に位置して上下方向へ離隔する上固定部及び下固定部を介してマスク本体の外面に固定されている。上固定部及び下固定部は、耳掛け部とマスク本体とが熱溶着加工によって接合され、フィルム化している。マスク本体の両側部は、上固定部及び下固定部にそれぞれ隣接して後方側へ向けて突出する一対の凸部と、一対の凸部の間に位置して前方側へ向けて凹む凹部とを有し、一対の凸部及び凹部の輪郭は曲線状を有する。
【先行技術文献】
【特許文献】
【０００４】
【特許文献１】実登３２２０２１３号公報
【特許文献２】特開２０１９−１８３３４４号公報
【考案の概要】
【考案が解決しようとする課題】
【０００５】
しかしながら、特許文献１に記載されるマスクは、装着し続けていると、紐状の耳掛け部が掛けられていることで耳が痛くなるなど、耳に対する負荷が大きい。また、特許文献２に記載されるマスクは、マスク本体の外面に固定されている耳掛け部と、マスク本体とのフィルム化している接合部分が硬い触感となる。また、特許文献１及び特許文献２に記載されるマスクは、袋等に収める場合など、耳掛け部のおさまりがよいとは言えない
【０００６】
そこで、本考案は、耳に対する負荷が軽減され、触感がより柔らかく、耳掛け部がコンパクトに収まるマスクと、このマスクを備えたマスクキットとを提供することを目的とする。
【課題を解決するための手段】
【０００７】
上記課題を解決すべく、本考案のマスクは、矩形のマスク本体と、一対の耳掛け部と、複数の第１溶着部とを備える。マスク本体は、複数の不織布が重ねられて形成されている。一対の耳掛け部は、不織布または織物でテープ状に形成され、長手方向に弾性変形し、長手方向における各端部が前記マスク本体の装着者側表面の側端部に固定されている。複数の第１溶着部は、耳掛け部とマスク本体とを固定し、マスク本体の縦方向と横方向とで正方配列した。耳掛け部は、長手方向の一端から中央に向かって谷折部と山折部とが順に形成された折り畳み構造を有する。
【０００８】
耳掛け部の谷折部及び山折部により重なった重なり領域は、長手方向と幅方向との両方でずれた位置に設けられた２つの第２溶着部を有することが好ましい。
【０００９】
本考案のマスクキットは、上記のマスクと、使用したマスクを収容するマスクケースとを備える。マスクケースは、プラスチックシートで矩形状に形成されている。マスクケースは、第１切欠部と、一対の第１溝と、一対の第２溝とを有する。第１切欠部は、一方の長辺を成す端縁の中央に他方の長辺を成す端縁に向かって延びている。一対の第１溝は、一方のシート面に、他方の長辺を成す端縁から第１切欠部に延びて、一定の第１間隔で形成され、一方のシート面においてマスクケースを山折り可能とする。一対の第２溝は、一方のシート面に、第１溝と直交する方向で、短辺を成す端縁から第１切欠部に延びており、第１間隔の半分以下の第２間隔で形成され、一方のシート面においてマスクケースを山折り可能とする。
【００１０】
マスクケースは、短辺を成す前記端縁のそれぞれに、第１溝と第２溝とのそれぞれにおいて９０°の角度で山折りされた場合に重なる円弧状の第２切欠部を有することが好ましい。
【考案の効果】
【００１１】
本考案のマスク及びマスクキットのマスクによれば、耳に対する負荷が軽減され、触感がより柔らかく、耳掛け部がコンパクトに収まる。
【図面の簡単な説明】
【００１２】
【図１】本考案の一実施形態であるマスクキットの概略図である。
【図２】マスクの概略図であり、（Ａ）は装着された場合に外側に露呈する外向き面、（Ｂ）は装着された場合に装着者に接する内向き面の各平面図である。
【図３】耳掛け部の説明図である。
【図４】マスクケースの概略図である。
【図５】第１溝の説明図である。
【図６】マスクケースの使用状態の説明図である。
【図７】マスクケースの使用状態の説明図である。
【図８】マスクケースの使用状態の説明図である。
【考案を実施するための形態】
【００１３】
図１に示すマスクキット１１は、本考案の一実施形態であり、マスク１２と、使用したマスク（以下、使用済マスクと称する）１３（図４参照）を収容するためのマスクケース１６とを備える。マスク１２は袋１７に、マスクケース１６は袋１８に、それぞれ収容されており、袋１７，１８は透明なプラスチックフィルムで形成されている。これにより、マスク１２とマスクケース１６とは、汚れがつかず、菌やウイルスなどによる汚染も防止され、また、使用する際には容易に取り出すことができる。
【００１４】
袋１７に入れられた状態のマスク１２は、マスク１２の出し入れ口としての開口が形成されたされた収容ボックス２１に、起立した状態で複数が収容されている。収容ボックス２１は、外側表面に、マスク１２の使用を案内する案内表示２１ａを有し、これにより、マスク１２の使用が促され、使用済マスク１３とマスク１２との交換も促される。
【００１５】
袋１８に入れられた状態のマスクケース１６も同様に、マスクケース１６の出し入れ口としての開口が形成された収容ボックス２２に、起立した状態で複数が収容されてもよいし、あるいは載置台（図示無し）等の上に平積みしてもよい。収容ボックス２１及び収容ボックス２２の代わりに、袋１７に収容された状態のマスク１２と袋１８に収容された状態のマスクケース１６との両方を、それぞれ複数収容することができる収容ボックス（図示無し）を用いてもよい。また、マスク１２とマスクケース１６とは、対にされた状態で袋（図示無し）等に収容されてもよい。
【００１６】
マスク１２は、図２に示すように、装着者の口及び鼻を覆うための矩形のマスク本体３１と、マスク本体３１を保持するために装着者の耳に掛けられる耳掛け部３２とを備える。マスク本体３１は、複数枚、この例では２枚の不織布が重ねられた積層構造を有し、通気性を有し、非常に薄く、マスク本体３１を介して一方から他方にある物の色が視認可能である程度に薄い。これにより、マスク本体３１は、長時間装着していても息苦しさが抑えられるものとなっている。
【００１７】
矩形のマスク本体３１の短辺を成す端縁（以下、側端縁と称する）は、２枚の不織布がきりっぱなし状態で互いに揃っている。横方向における側端縁よりも内側には、図２（Ａ）に示すように、重なった不織布同士を厚み方向において溶着する複数の側端溶着部３５Ａがある。複数の側端溶着部３５Ａは、縦方向に概ね等間隔に並んで列を成し、この側端溶着部３５Ａの列は横方向に３列並ぶ。
【００１８】
マスク本体３１の上側端縁は、互いに重なった２枚の不織布が外向き面側から装着者に接する内向き面側に折り曲げて形成され、内向き面側に位置した折曲部は上端溶着部３５Ｂによって外向き面側の２枚の不織布に固定されている。複数の上端溶着部３５Ｂは、横方向に概ね等間隔に並んで列を成し、この上端溶着部３５Ｂの列は縦方向に３列並ぶ。なお、上端溶着部３Ｂの列と列との間には、装着者の鼻に沿って変形自在なノーズワイヤ３６が内装されている。
【００１９】
マスク本体３１の下側端縁は上側端縁と同様に、互いに重なった２枚の不織布が外向き面側から内向き面側に折り曲げて形成され、内向き面側に位置した折曲部が下端溶着部３５Ｃによって外向き面側の２枚の不織布に固定されている。複数の下端溶着部３５Ｃは、横方向に概ね等間隔に並んで列を成し、この下端溶着部３５Ｃの列は縦方向に３列並ぶ。なお、以降の説明において、側端溶着部３５Ａ、上端溶着部３５Ｂ，下端溶着部３５Ｃを区別しない場合には、これらを本体溶着部３５と記載する。
【００２０】
本体溶着部３５と後述の取付溶着部４１及び仮止め溶着部４２とは、例えば超音波溶着または高周波溶着などの熱溶着で形成されたものである。したがって、マスク本体３１は、これらの溶着ができる素材で形成され、例えばＰＰ（ポリプロピレン）などの熱可塑性樹脂で形成されている。本体溶着部３５は、短辺が概ね１ｍｍ、長辺が概ね１．２ｍｍの矩形であるが、一辺が概ね１ｍｍ以上１．２ｍｍ以下の範囲内の正方形であってもよい。列を成す本体溶着部３５同士の間隔は、概ね１ｍｍ以上２．０ｍｍ以下の範囲内としている。このように、各本体溶着部３５のサイズは小さいものの列を成す本体溶着部３５同士の間隔は広めであるが、マスク本体３１は前述の通り非常に薄いから十分に固定される。また、列を成す本体溶着部３５同士の間隔が１ｍｍ以上であることにより、これよりも狭い場合に比べて、本体溶着部３５が形成されている領域の触感が柔らかい。なお、図２及び図３においては、煩雑化を避けるために、本体溶着部３５と後述の取付溶着部４１及び仮止め溶着部４２のサイズを、マスク本体３１のサイズ（横×縦の面積）に対して大きく誇張して描いており、また、図２における本体溶着部３５の数は実物よりも少なく、本体溶着部３５の数は適宜決定してよい。
【００２１】
マスク本体３１は、縦方向における概ね中央に、横方向の全域に延びた谷折部と山折部とで構成されるプリーツ構造を有する。この例では、外向き面において上から順に、谷折部と山折部とが３つ繰り返されたプリーツ構造となっているが、谷折部と山折部との順序及び数はこの例に限られない。
【００２２】
耳掛け部３２は、不織布または織物により、長尺の薄物状、すなわちテープ状に形成され、長手方向に弾性変形する。これにより、耳に対する接触圧が装着者にとって低く感じられ、耳に対する負荷が紐状の耳掛け部に比べて小さく感じられる。織物としては例えばガーゼがあり、弾性変形する伸縮ガーゼが例として挙げられる。耳掛け部３２の長手方向に直交する幅方向の長さ、つまり幅は、特に限定されないが、１０ｍｍ以上１８ｍｍ以下の範囲内であることが好ましく、本例では概ね１５ｍｍとしている。耳掛け部３２は、長手方向における各端部がマスク本体３１の内向き面の側端部に固定されている。耳掛け部３２は、長手方向の一端から中央に向かって谷折部３２Ａと山折部３２Ｂとが順に形成された折り畳み構造を有することで、概ね平坦にされており、この平坦な状態で、マスク本体３１に固定されてある。そのため、マスク１２は、全体として平坦になっており、袋１７等に入れる場合でもコンパクトに収まり、複数を重ねても嵩高くなることが抑えられる。これにより、収容ボックス２１に収容することができる枚数が多めに確保されて補充頻度がより低くなったり、保管場所の確保もより容易になる。
【００２３】
耳掛け部３２の長手方向における各端部はマスク本体３１に、マスク本体３１の縦方向に配列するとともに横方向に配列した複数の第１溶着部としての取付溶着部４１により固定されている。このように、耳掛け部３２とマスク本体３１とは、縦方向と横方向とで正方配列した取付溶着部４１により固定される。これにより、例えば断面円形の紐状の耳掛け部よりも幅広な耳掛け部３２が、マスク本体３１に確実に固定され、装着時において両側外側に引っ張られてもマスク本体３１から脱離しにくい。また、取付溶着部４１は、正方配列していることから、取付溶着部４１が形成されている領域全体が溶着している場合に比べて、触感が柔らかい。
【００２４】
取付溶着部４１のサイズと、取付溶着部４１同士の間隔とは、本体溶着部３５のサイズと列を成す本体溶着部３５同士の間隔と同様とされている。耳掛け部３２はテープ状であるから、取付溶着部４１をこのように小さなサイズとし、かつ、取付溶着部４１同士の間隔をこのように広めにしても、マスク本体３１に確実に固定される。また、取付溶着部４１同士の間隔がこのように広めであることにより、耳掛け部３２とマスク本体３１とが固定された固定領域の触感は、間隔がこれよりも狭い場合に比べて、柔らかい。なお、側端溶着部３５Ａと上端溶着部３５Ｂと下端溶着部３５Ｃと取付溶着部４１とは互いに重なった位置に形成されていてもよく、この例でもこれらは重なった位置に形成されている。ただし、図２においては図の煩雑さを避けるために取付溶着部４１がある領域については、本体溶着部３５の図示は略してある。また、取付溶着部４１の数は、この例では横方向に６個、縦方向に７個の４２個としてあるが、数はこの例に限られない。
【００２５】
耳掛け部３２の谷折部３２Ａ及び山折部３２Ｂにより重なった重なり領域３２Ｒは、図３に示すように、第２溶着部としての仮止め溶着部４２で固定されていることが好ましい。仮止め溶着部４２は、耳掛け部３２が折り曲げにより重なった状態をマスク１２を使用する場面までの間、仮止めするためのものである。この仮止めにより、マスク１２はより平坦となり、複数のマスク１２を重ねても嵩高さが小さく抑えられる。取付溶着部４１と仮止め溶着部４２とは、本体溶着部３５と同様に、超音波溶着や高周波溶着等の熱溶着で形成されている。したがって、耳掛け部３２は、マスク本体３１と同様に、ポリプロピレン（ＰＰ）等の熱可塑性ポリマーで形成されていることが好ましい。
【００２６】
仮止め溶着部４２は、マスク１２が使用される場面で、耳掛け部３２の重なった部分を手指等で剥がすことができる程度の固定力で固定されていればよい。そのため、仮止め溶着部４２の数は、少なくても十分である。ただし、耳掛け部３２は幅広なテープ状であるから、耳掛け部３２の長手方向にずれた位置、かつ、幅方向にずれた位置とされた２つの仮止め溶着部４２があることが好ましい。２つの仮止め溶着部４２とは、少なくとも２つの意味であり、３以上の場合も含む。耳掛け部３２が長手方向と幅方向との両方でずれた位置に設けられた２つの仮止め溶着部４２を有することにより、幅方向におけるずれがより確実に抑えられる。この例での仮止め溶着部４２の数は、ひとつの重なり領域に対して３つとしているが、この例に限定されない。
【００２７】
マスクケース１６は、マスク１２を使用するにあたり、それまで装着していたマスクを使用済マスク１３として収容するために用いる。これにより、ウイルスや菌などによる感染をより確実に抑える。マスクケース１６は、可撓性のプラスチックシートで矩形状に形成されている。マスクケース１６のサイズは、一般的に流通している市販の矩形のマスクを使用済マスク１３と想定して、使用済マスク１３よりも大きくすることが好ましく、本例では概ね長辺１９２ｍｍ、短辺１２０ｍｍの大きさとしている。プラスチックシートの厚みは０．３ｍｍ以上１．２ｍｍ以下の範囲内である。
【００２８】
マスクケース１６は、第１切欠部５１と、第２切欠部５２と、第１溝５６と、第２溝５７とを有する。第１切欠部５１は、一方の長辺を成す端縁ＥＬ１の中央に他方の長辺を成す端縁ＥＬ２に向かって短辺の概ね中央まで延びて形成されている。第１切欠部５１は、端縁ＥＬ１から端縁ＥＬ２に向かって幅が漸減している。
【００２９】
第１溝５６は、マスクケース１６を山折り可能とするためのものである。一方のシート面に、端縁ＥＬ２から第１切欠部５１に延びて一対形成されている。一対の第１溝５６は、一定の第１間隔で、すなわち平行に形成され、一方のシート面において山折り可能とする。第２溝５７は、第１溝５６と同じく、前述の一方のシート面に対をなして形成されている。第２溝５７は、第１溝５６と直交する方向に延びている。一対の第２溝５７は、短辺を成す端縁ＥＳ１から第１切欠部５１に延びており、前述の第１間隔の半分以下の第２間隔で形成され、一方のシート面において山折り可能とする。また、短辺を成す端縁ＥＳ２から第１切欠部５１に延びて、同様に、一対の第２溝５７が形成され、この一対の第２溝５７も一方のシート面において山折り可能とする。
【００３０】
使用済マスク１３は他方のシート面に重ねられ、マスクケース１６は第１溝５６及び第２溝５７で一方のシート面において山折りにされる。第１溝５６は、断面Ｖ字状（図５参照）であってもよいし、または、断面コの字状や断面Ｕ字状であってもよい。第２溝５７の断面形状も第１溝５６と同様である。
【００３１】
端縁ＥＬ１から一対の第２溝５７の一方までの距離ＬＳ１は、端縁ＥＬ２から一対の第２溝５７の他方までの距離Ｌ２よりも短いことが好ましく、本例でもそのようにしてある。
【００３２】
第２切欠部５２は、短辺を成す端縁ＥＳ１，ＥＳ２のそれぞれに、円弧状に形成されている。第２切欠部５２は、第１溝５６と第２溝５７とのそれぞれにおいて９０°の角度で山折りされた場合に、互いに重なる位置に形成されている。
【００３３】
マスクケース１６は以下のように使用される。使用済マスク１３は、図６に示すように、マスクケース１６の第１溝５６及び第２溝５７が形成されていない他方のシート面に重ねられる。マスクケース１６は、端縁ＥＬ１と端縁ＥＬ２との一方が他方に向かうように、図７に示すように各第２溝５７が概ね９０°に山折りされる。距離ＬＳ１は距離Ｌ２よりも短いから、マスクケース１６の第１溝５６が形成されている側の概ね上半分は、図７に示すように下半分の領域内に収まる。使用済マスク１３の耳掛け部は、端縁ＥＳ１，ＥＳ２よりも外側に配する。
【００３４】
マスクケース１６は、端縁ＥＳ１と端縁ＥＳ２との一方が他方に向かうように、各第１溝５６が概ね９０°に山折りされる。第１切欠部５１は、端縁ＥＬ１から第２溝５７に向かって幅が漸減しているから、第１溝５６で山折りする際に、第１切欠部５１の両側のケース部分は干渉しにくく、容易に折り曲げやすい。図８に示すように、概ね１／４のサイズに折り曲げられたマスクケース１６の第２切欠部５２に、使用済マスク１３の耳掛け部が位置合わせされて引っ掛けられるように保持される。第２切欠部５２は無くてもよいが、ある方が、使用済マスク１３の耳掛け部が安定して保持されやすく、また、使用者にとって耳掛け部を配すべき位置がわかりやすいため、好ましい。
【符号の説明】
【００３５】
１１    マスクキット
１２    マスク
１３    使用済マスク
１６    マスクケース
３１    マスク本体
３２    耳掛け部
３２Ａ  谷折部
３２Ｂ  山折部
３２Ｒ  重なり領域
３５Ａ〜３５Ｃ  側端溶着部，上端溶着部，下端溶着部
４１    取付溶着部
４２    仮止め溶着部
５１    第１切欠部
５２    第２切欠部
５６    第１溝
５７    第２溝
ＥＬ１，ＥＬ２，ＥＳ１，ＥＳ２  端縁
【図１】
0003231146.tif 000003
【図２】
0003231146.tif 000004
【図３】
0003231146.tif 000005
【図４】
0003231146.tif 000006
【図５】
0003231146.tif 000007
【図６】
0003231146.tif 000008
【図７】
0003231146.tif 000009
【図８】
0003231146.tif 000010